(57)【特許請求の範囲】
【請求項１】
点検スイッチを有し、前記点検スイッチを操作する引き紐を垂下し、前記引き紐に引き輪を設けた照明器具の、前記引き輪を引き操作するものであり、かつ垂直姿勢の支持棒の上端に支持される点検具であって、
線材を略Ｕ字形に折返すように折曲したもので、その折返し部分の内側に前記引き紐を挿通するが前記引き輪に引っ掛かる寸法の溝状の隙間を形成した保持部と、前記保持部を形成する前記線材の少なくとも一端を延長して前記引き紐を前記保持部にガイドする誘い部とを備え、
前記隙間の前記引き紐を挿通する方向が垂直姿勢の前記支持棒の長手方向である点検具。
【請求項２】
前記誘い部は、前記保持部を形成する前記線材の両端を互いに開離するように延長し、垂直姿勢の前記支持棒の上端より前記支持棒の長手方向の外方に突出する軸を前記誘い部の一方に形成し、引き輪のみが下面より突出したタイプの照明器具の前記下面に前記軸の先端を当接した状態で、前記軸をスライドすることによりまたは前記軸を中心に回動することにより、前記誘い部の他方を前記引き輪に挿入可能とした請求項１記載の点検具。
【請求項３】
前記軸は、下面に押しボタンを設けたタイプの照明器具の前記押しボタンを押し操作可能な構成を有する請求項２記載の点検具。 
【発明の詳細な説明】
【技術分野】
【０００１】
この発明は、非常灯、誘導灯などの点検スイッチを有する照明器具において、点検スイッチを離れた位置から操作することができる点検具に関するものである。
【背景技術】
【０００２】
非常用照明器具や誘導灯の中でも電池内蔵型は、停電時に常用電源から内蔵電池に電源を切り替えて点灯する。その切り替わり機能が保全されていることを定期的に確認するために点検スイッチを有する。
【０００３】
点検スイッチにはその操作方式として、壁や天井に取付けられた照明器具から引き紐を垂下し、引き紐に引き輪を設けた引き紐式、引き輪だけを照明器具から突出したレバー式、照明器具の下面に押しボタンを設けた押しボタン式などがある。  
【０００４】
この照明器具の点検方法として、設置場所が高所であるため脚立に登り、引き輪を引っ張るか、もしくは押しボタンを押して点検する方法や、脚立に登らずに図４に示すように点検者５０の把持する棒状の支持具５１の先端部５１ａを水平に曲げて、照明器具５２の下面より垂下した引き紐５３の引き輪５４の輪の中に挿入し、引き輪を引き下げて点検する方法などがある。
【０００５】
しかし、引き輪は高い位置に位置するため輪の中に棒状の点検具の先端部を挿入する作業は容易でない。
【０００６】
このため、従来、引き紐を案内するＶ字形の誘導部およびその奥の狭窄部に紐挿通孔を形成し、紐挿通孔の縁部で引き輪を引き下げるようにしたアクリル板があった（例えば特許文献１参照）。
【特許文献１】特開２００４−２５２３９９号公報
【発明の開示】
【発明が解決しようとする課題】
【０００７】
しかしながら、アクリル板であるため、支持棒の先端に取付けて操作する際にアクリル板が壁や照明器具の本体にあたり、アクリル板の角が折れたり、破損しやすい。また照明器具が壁に設置された場合、アクリル板の周縁が壁に触れるため、引き紐をＶ字形の誘導部にうまく誘導できないことがある。このため、小さな紐ガイド用の切欠凹部と紐挿通孔をアクリル板の周縁の別の位置に設けたり、深さの浅い紐挿通溝を別に設ける必要があり、構成が複雑になった。
【０００８】
したがって、この発明の目的は、照明器具が壁に設置されても引き紐の引き輪を容易に操作することができるとともに構成が簡単で破損しにくい点検具を提供することである。
【課題を解決するための手段】
【０００９】
この発明の点検具は、点検スイッチを有し、前記点検スイッチを操作する引き紐を垂下し、前記引き紐に引き輪を設けた照明器具の、前記引き輪を引き操作するものであり、かつ垂直姿勢の支持棒の上端に支持される点検具である。保持部は、線材を略Ｕ字形に折返すように折曲したもので、その折返し部分の内側に前記引き紐を挿通するが前記引き輪に引っ掛かる寸法の溝状の隙間を形成している。誘い部は、前記保持部を形成する前記線材の少なくとも一端を延長して前記引き紐を前記保持部にガイドする。前記隙間の前記引き紐を挿通する方向が垂直姿勢の前記支持棒の長手方向である。
【００１０】
上記構成において、前記誘い部は、前記保持部を形成する前記線材の両端を互いに開離するように延長し、垂直姿勢の前記支持棒の上端より前記支持棒の長手方向の外方に突出する軸を前記誘い部の一方に形成している。引き輪のみが下面より突出したタイプの照明器具の前記下面に前記軸の先端を当接した状態で、前記軸をスライドすることによりまたは前記軸を中心に回動することにより、前記誘い部の他方を前記引き輪に挿入可能としている。
【００１１】
上記構成において、前記軸は、下面に押しボタンを設けたタイプの照明器具の前記押しボタンを押し操作可能な構成を有する。 
【発明の効果】
【００１２】
この発明の点検具によれば、線材により形成した誘い部で引き紐を保持部に誘導し、保持部を下げることにより引き輪に沿って保持部が下降して、引き輪に引っ掛かり、引き輪を引き操作することができる。このため、引き輪を容易に操作することができる。また誘い部を線材により形成したため、照明器具が壁に取付けられて引き紐が壁に接近した位置にあっても、構成を複雑にすることなく、引き紐を容易に誘い部に案内することができる。さらに線材を折曲することにより保持部および誘い部を形成しているため、弾性により壁や照明器具にあたっても破損しにくい。
【００１３】
誘い部の一端に上方に突出する軸を形成したため、レバー式の点検スイッチにも適用できる。例えば、引き輪のみが下面より突出した照明器具の下面に軸の先端が当接した状態で前記軸をスライドすることにより、または前記軸を中心に誘い部の他端を回動することにより、誘い部の他端を引き輪にスムースに挿入することができるので、引き輪を容易に操作することができる。
【００１４】
前記軸は、下面に押しボタンを設けた照明器具の押しボタンを押し操作することが可能な構成にすると、さらに種類の異なる照明器具に適用することができる。  
【発明を実施するための最良の形態】
【００１５】
この発明の一実施の形態の点検具を図１から図３により説明する。すなわち、この点検具は、図３（ａ）に示すように非常灯や誘導灯などの照明器具１０ａの下面１１より垂下した引き紐１の引き輪２を操作するものである。
【００１６】
点検具は、支持棒３の上端部に保持部４および誘い部５を設けたもので、いずれも線材を折り曲げて形成している。線材は金属製の棒体、またはその表面に樹脂を被覆したもの、さらには棒体の全体または一部が合成樹脂製の棒体でもよく、棒体であるため弾性により壁などにあたっても容易に破損折損しにくい。
【００１７】
保持部４は線材を略Ｕ字形に折返すように折曲することにより折返し部分に形成し、図から明らかなようにその内側の溝状の隙間Ｈを引き紐１は挿通するが引き輪２に引っ掛かる寸法に設定している。
【００１８】
誘い部５は、保持部４を形成する線材の両端５ａ、５ｂを略Ｖ字形に互いに開離するように延長したものであり、引き紐１を保持部４にガイドすることができる。誘い部５の開き角度θは略９０度から略１５０度が好ましい。
【００１９】
さらに線材は誘い部５の一端５ａを垂直に上方向に折曲した後下方に折り返すように折曲して軸６を形成し、折り返しの端部を連結部７の上面に連結している。連結部７は支持棒３と着脱自在に連結するように連結手段、例えば連結部７の下面は雌ねじ８を形成し、支持棒３の上端に雄ねじ９を形成し、雌ねじ８に雄ねじ９をねじ込むことにより連結している。支持棒３は単なる棒体や、伸縮自在な構成にしてもよい。なお連結部７と支持棒３が一体になったものでもよい。
【００２０】
図３（ａ）は点検具の使用状態である。照明器具１０ａの下面１１から引き紐１が垂下し、その下端に取付けられた引き輪２を引き操作する。この場合、図４に示す操作者と同様に操作者が支持棒３の下端を把持して誘い部３を引き紐１に接近するので誘い部３の広がりで引き紐１を容易に捕まえることができる。引き紐１を誘い部３にガイドさせながら引き紐１を保持部４に誘導し、保持部４内の引き紐１に沿って保持部４を下降すると引き輪２に当たる。そのまま引き輪２を引き下げることによりスムースに点検スイッチを操作することができる。
【００２１】
図３（ｂ）は別の照明器具１０ｂ、すなわち照明器具１０ｂの下面１１に引き輪２のみが突出したタイプである。この場合、軸６の先端を照明器具１０ｂの下面１１に当接しスライドしながら誘い部３の他端５ｂを引き輪２に挿入する、あるいは軸６を照明器具１０ｂの下面１１に当接したまま軸６の回りに誘い部３の他端５ｂを回動して引き輪２に挿入する、さらにはこれらの両操作を行うことにより、誘い部３の広がりを利用してスムースに引き輪２の中に誘い部５の他端５ｂを挿入することができる。挿入した状態で引き輪２を引くことによりスムースに点検スイッチを操作することができる。
【００２２】
図３（ｃ）はさらに別の照明器具１０ｃ、すなわち照明器具１０ｃの下面１１に押しボタン１２を有するタイプである。この場合、軸６の先端で押しボタン１２を直接押すことにより点検スイッチを容易に操作することができる。
【００２３】
なお、この発明において、点検具は保持部と、誘い部と、これらの一方または両方に連結した支持棒のみで構成してもよい。また誘い部５は保持部４の一端のみを延長したものでよく、両端の少なくとも一端を延長したものであればよい。
【図面の簡単な説明】
【００２４】
【図１】この発明の一実施の形態の点検具の要部斜視図である。
【図２】（ａ）は点検具の要部の正面図、（ｂ）はその平面図、（ｃ）は側面図、（ｄ）は部分断面図である。
【図３】（ａ）は引き紐についた引き輪を操作する状態の斜視図、（ｂ）は引き紐なしの引き輪を操作する状態の斜視図、（ｃ）は押しボタンを操作する状態の斜視図である。
【図４】従来例の使用状態の斜視図である。
【符号の説明】
【００２５】
１    引き紐
２    引き輪
３    支持棒
４    保持部
５    誘い部
６    軸
１０ａ〜１０ｃ    照明器具
１１    下面
【図１】
0004788287.tif 000002
【図２】
0004788287.tif 000003
【図３】
0004788287.tif 000004
【図４】
0004788287.tif 000005